(57)【要約】【課題】簡素かつ低コストの構成によって、データがどの装置に対して送信されたかを利用者が確実に確認できる通信システムを実現する。【解決手段】本発明の中継装置１は、送信装置としての健康測定機器５から送信される送信先未定のデータを受信し、受信装置としての健康情報管理端末４からの要求に応じて該健康管理端末４に対して前記データを転送する。そして、前記健康管理端末４に対して前記データを転送する場合に、転送先特定データ取得部２が該健康管理端末４を特定する転送先特定情報を表す転送先特定データを該健康管理端末４から取得する。さらに、転送先特定情報通知部３が、前記健康測定機器５の利用者に対して、前記転送先特定データが表す転送先特定情報を通知する。【選択図】図１
2008079046.tif 000002
【特許請求の範囲】
【請求項１】
送信装置から送信される送信先未定のデータを受信し、受信装置からの要求に応じて該受信装置に対して前記データを転送する中継装置であって、
前記受信装置に対して前記データを転送する場合に、該受信装置を特定する転送先特定情報を表す転送先特定データを該受信装置から取得する転送先特定データ取得手段と、
前記送信装置の利用者に対して、前記転送先特定データが表す転送先特定情報を通知する転送先特定情報通知手段とを備えていることを特徴とする中継装置。
【請求項２】
前記転送先特定情報通知手段は、
前記送信装置に前記転送先特定データを送信し、該送信装置を介して該転送先特定データが表す転送先特定情報を前記送信装置の利用者に通知することを特徴とする請求項１に記載の中継装置。
【請求項３】
前記転送先特定情報を表示するディスプレイをさらに備え、
前記転送先特定情報通知手段は、
前記転送先特定情報を、前記ディスプレイに表示して前記送信装置の利用者に通知することを特徴とする請求項１に記載の中継装置。
【請求項４】
前記転送先特定データを記憶する転送先記憶手段をさらに備え、
前記転送先特定情報通知手段は、
前記転送先記憶手段が記憶している前記転送先特定データを用いて、前記転送先特定情報を前記送信装置の利用者に通知することを特徴とする請求項１に記載の中継装置。
【請求項５】
前記転送先特定情報通知手段は、
新たに前記データを受信するときに、以前に受信した前記データの前記転送先特定データを前記送信装置に送信して、該転送先特定データが表す転送先特定情報を前記送信装置の利用者に通知することを特徴とする請求項４に記載の中継装置。
【請求項６】
前記送信装置が前記送信装置の利用者に対して転送先特定情報を通知する手法を表す通知手法データを、該送信装置から取得して、前記受信装置に対して転送する通知手法データ送信手段をさらに備え、
前記転送先特定データ取得手段は、
前記受信装置から、前記通知手法データに応じた前記転送先特定データを該受信装置から取得することを特徴とする請求項１に記載の中継装置。
【請求項７】
前記送信装置は、前記送信装置の利用者の健康に関する健康データを測定する健康測定機器であり、
前記受信装置は、前記健康データを管理する健康データ管理端末であり、
前記転送先特定データ取得手段は、
転送先特定データとして、前記健康データ管理端末の利用者を特定する利用者識別情報を表す利用者識別データを取得することを特徴とする請求項１〜６のいずれか１項に記載の中継装置。
【請求項８】
前記健康データが前記健康測定機器によって測定された日時、または、前記健康データを受信した日時を記憶する日時記憶手段と、
前記健康データの種類ごとに、あらかじめ定められた測定間隔を記憶している測定間隔記憶手段と、
前記健康データの種類ごとに、前記日時記録手段によって記録された日時のうち最新の日時から現在までの経過期間と前記測定間隔とを比較し、比較した結果、前記経過期間が前記測定間隔よりも長いと判定された場合、前記健康データの種類を前記健康測定機器の利用者に対して通知する測定促進手段とをさらに備えていることを特徴とする請求項７に記載の中継装置。
【請求項９】
請求項１に記載の中継装置に対して前記データを送信する送信装置であって、
前記中継装置に対して前記データを送信した回数を記憶する送信回数記憶手段と、
前記転送先特定データを取得するたびに、前記回数を一つ減算する送信回数更新手段と、
前記回数および／または前記回数が送信回数更新手段によって更新された結果を前記送信装置の利用者に通知する通知手段とを備えていることを特徴とする送信装置。
【請求項１０】
送信装置から送信される送信先未定のデータを受信し、受信装置からの要求に応じて該受信装置に対して前記データを転送する中継方法であって、
前記受信装置に対して前記データを転送する場合に、該受信装置を特定する転送先特定情報を表す転送先特定データを該受信装置から取得する転送先特定データ取得手ステップと、
前記送信装置の利用者に対して、前記転送先特定データが表す転送先特定情報を通知する転送先特定情報通知ステップとを含んでいることを特徴とする中継方法。
【請求項１１】
請求項１から８のいずれか１項に記載の中継装置を動作させる制御プログラムであって、コンピュータを上記の各手段として機能させるための制御プログラム。
【請求項１２】
請求項１１に記載の通信制御プログラムを記録しているコンピュータ読み取り可能な記録媒体。
【発明の詳細な説明】
【技術分野】
【０００１】
本発明は、送信装置から送信されたデータを受信装置に中継する中継装置、送信装置、中継方法、制御プログラム、および記録媒体に関するものである。
【背景技術】
【０００２】
近年、健康測定機器のＩＴ化が進み、身体に関する各種の測定データをパーソナルコンピュータ（以下、ＰＣと略す）などに転送して管理するシステムが提案されている。
【０００３】
例えば、健康測定機器によって計測した個人の測定データをＰＣ上で管理するシステムとして、オムロン株式会社の「体重体組成計カラダスキャン  ＰＣコントロール」（登録商標）がある。この商品では、体重体組成計で計測した測定データを、持ち運びが容易な歩数計「Ｗａｌｋｉｎｇ  ｓｔｙｌｅ」（登録商標）を介してＰＣに転送する。
【０００４】
このシステムについて、より具体的に説明すれば、次のとおりである。このシステムでは、利用者ごとに個人番号が割り当てられている。そして、体重体組成計には個人番号ごとに個人情報を登録することができる。つまり、体重体組成計は、個人番号を用いて利用者ごとに測定データを管理する機能を有する。また、前記の歩数計は、体重体組成計に記録されている測定データを受信し、記録できる。
【０００５】
これにより、利用者は、体重体組成計に記録されている複数の利用者の測定データから、個人番号を指定して、個人番号に対応する利用者の測定データのみを前記の歩数計に転送する。さらに、この歩数計はＵＳＢ接続機能を有しており、ＰＣにＵＳＢ接続して体重体組成計から取得した測定データをＰＣに転送できる。
【０００６】
なお、このシステムにおいては、前記の歩数計は複数の利用者の間で共有されないことを前提としている。これにより、ＰＣ上で利用者ごとに測定データを管理することができる。
【０００７】
また、特許文献１においては、個人の健康管理を目的として、ベッドやトイレの便器などにセンサが取り付けられて構成される生体情報検出器によって検出された生体情報データを、通信によって収集する生体情報計測システムが開示されている。このシステムは、予め使用者と関連付けられた識別コードを有する携帯機器を使用者が携帯することによって、複数使用者が使用する生体情報検出機器から送信された生体情報データが、誰のデータであるか、正確に判断できるようにするシステムである。
【特許文献１】特開２００４−３５８２３２号公報（２００４年１２月２４日公開）
【発明の開示】
【発明が解決しようとする課題】
【０００８】
しかしながら、上記従来の構成では、測定データを管理する端末に対して測定データを送信するために、測定データと利用者の情報とを関連づける仕組みを実装する必要があり、システム導入に要するコストが増大してしまうという問題を生じる。
【０００９】
具体的には、「体重体組成計カラダスキャン  ＰＣコントロール」では、体重体組成計において、利用者ごとに測定データを管理する機能や測定データを記録する機能が実装される必要がある。また、体重体組成計で測定したデータをＰＣへデータを運ぶために、各利用者が歩数計を所有しておく必要がある。
【００１０】
また、特許文献１において開示されている生体情報計測システムにおいては、全ての使用者が前記の携帯機器を所有する必要がある。さらに、この生体情報計測システムにおいては、使用機器（生体情報計測機器）を特定するために無線の電波強度を利用することが実施例として記載されているが、生体情報計測機器には消費電流の少なくない無線通信を搭載する必要がある。
【００１１】
そのため、例えば体温計などの小型で安価な測定機器によって計測される測定データを管理するシステムに、上記の「体重体組成計カラダスキャン  ＰＣコントロール」や特許文献１の生体情報計測システムの仕組みを適用する場合、システム導入に要するコスト全体のうち、体温計などの測定機器の本体価格と比較して、測定データと利用者とを関連づけるための機能を実装するために要するコストの割合が高くなってしまい、現実的ではない。
【００１２】
本発明は、上記の問題点に鑑みてなされたものであり、その目的は、簡素かつ低コストの構成によって、データがどの装置に対して送信されたかを利用者が確実に確認できる通信システムを実現する中継装置、送信装置、中継方法、制御プログラム、および記録媒体を提供することにある。
【課題を解決するための手段】
【００１３】
本発明に係る中継装置は、送信装置から送信される送信先未定のデータを受信し、受信装置からの要求に応じて該受信装置に対して前記データを転送する中継装置であって、前記受信装置に対して前記データを転送する場合に、該受信装置を特定する転送先特定情報を表す転送先特定データを該受信装置から取得する転送先特定データ取得手段と、前記送信装置の利用者に対して、前記転送先特定データが表す転送先特定情報を通知する転送先特定情報通知手段とを備えていることを特徴としている。
【００１４】
前記の構成によれば、本発明に係る中継装置は、送信装置から送信される送信先未定のデータを受信する。そして、受信装置から前記データを要求されると、該受信装置に対して前記データを転送する。さらに、本発明に係る中継装置では、前記受信装置に対して前記データを転送する場合、転送先特定データ取得手段が、受信装置を特定する転送先特定情報を表す転送先特定データを該受信装置から取得する。そして、本発明に係る中継装置では、転送先特定情報通知手段が、前記送信装置の利用者に対して、前記転送先特定データが表す転送先特定情報を通知する。
【００１５】
つまり、本発明に係る中継装置によれば、送信装置の利用者は、送信先を指定せずに送信したデータが、最終的にどの受信装置によって受信されたかを確認することができる。
【００１６】
したがって、送信先の指定を前提としていない通信方式であっても、送信側においては、データがどの装置によって受信されたかを確認できる。
【００１７】
これにより、安価な仕組みの通信方式を利用して、簡素な構成でありながら、データがどの装置に対して送信されたかを利用者が確実に確認できる仕組みを実現できる。このような通信の仕組みとしては、例えば、ＲＦＩＤを用いた構成が考えられる。具体的には、ＲＦＩＤデータを送信する側の装置においてＲＦＩＤタグに送信するデータを記録しておき、そのデータを本発明に係る中継装置が受信し、さらに他の装置へ転送した場合、前記データの転送先を送信側のユーザに対して通知する仕組みが考えられる。この場合、データを送信する側の装置では、送信したデータを記録できるＲＦＩＤタグを備えていればよく、別途、宛先を指定するための機能等は不要であり、簡素かつ低コストの構成によって、データがどの装置に対して送信されたかを利用者が確実に確認できる通信システムを構築できる。
【００１８】
本発明に係る中継方法では、送信装置から送信される送信先未定のデータを受信し、受信装置からの要求に応じて該受信装置に対して前記データを転送する中継方法であって、前記受信装置に対して前記データを転送する場合に、該受信装置を特定する転送先特定情報を表す転送先特定データを該受信装置から取得する転送先特定データ取得手ステップと、前記送信装置の利用者に対して、前記転送先特定データが表す転送先特定情報を通知する転送先特定情報通知ステップとを含んでいることを特徴とする。
【００１９】
上記の構成によれば、本発明に係る中継装置と同様の作用効果を奏する。
【００２０】
また、本発明に係る中継装置では、前記転送先特定情報通知手段は、前記送信装置に前記転送先特定データを送信し、該送信装置を介して該転送先特定データが表す転送先特定情報を前記送信装置の利用者に通知することを特徴とする。
【００２１】
上記の構成によれば、転送先特定情報通知手段は、送信装置に対して転送先特定データを送信する。そして、該送信装置を介して転送先特定データによって表される転送先特定情報を前記送信装置の利用者に通知する。つまり、利用者に対する転送先特定情報の通知は、送信装置によって行われる。このとき、送信装置は、７セグメントディスプレイや高精細ＬＣＤなど各種のディスプレイ装置に転送先特定情報を表示することによって利用者に通知する。あるいは、スピーカーを介して音声情報として通知する構成であってもよく、特に限定はされない。
【００２２】
これにより、送信装置を利用しているユーザは、送信したデータがどの受信装置によって受信されたかを確認することができる。
【００２３】
また、本発明に係る中継装置では、前記転送先特定情報を表示するディスプレイをさらに備え、前記転送先特定情報通知手段は、前記転送先特定情報を、前記ディスプレイに表示して前記送信装置の利用者に通知することを特徴とする。
【００２４】
上記の構成によれば、中継装置は、転送先特定情報を表示するディスプレイを備えており、転送先特定情報通知手段は、転送先特定情報をディスプレイに表示することによって利用者に通知する。
【００２５】
これにより、送信装置が転送先特定情報を通知する機能を備えていない場合であっても、中継装置が転送先特定情報をディスプレイに表示することによって、ユーザに対して転送先特定情報を通知することができる。
【００２６】
また、本発明に係る中継装置では、前記転送先特定データを記憶する転送先記憶手段をさらに備え、前記転送先特定情報通知手段は、前記転送先記憶手段が記憶している前記転送先特定データを用いて、前記転送先特定情報を前記送信装置の利用者に通知することを特徴とする。
【００２７】
上記の構成によれば、転送先記憶手段は、取得された転送先特定データを記憶している。そして、転送先特定情報通知手段は、転送先記手段によって記憶されている転送先特定データを用いて、送信装置の利用者に対して転送先特定情報を通知する。
【００２８】
これにより、中継装置は、任意のタイミングで、利用者に対して転送先特定情報を通知できる。特に、送信装置を介して転送先特定情報を利用者に通知する場合、受信装置から転送先特定データを取得したときに、必ずしもすぐに送信装置に対して転送先特定データを送信する必要はなくなる。つまり、中継装置は、送信装置および受信装置と同時にではなく、それぞれ別のタイミングで通信を行う場合でも、送信装置の利用者に対して転送先特定情報を通知できる。
【００２９】
また、本発明に係る中継装置では、前記転送先特定情報通知手段は、新たに前記データを受信するときに、以前に受信した前記データの前記転送先特定データを前記送信装置に送信して、該転送先特定データが表す転送先特定情報を前記送信装置の利用者に通知することを特徴とする。
【００３０】
上記の構成によれば、転送先特定情報通知手段は、新たに前記データを受信する場合に、以前に受信した前記データの転送先特定データを送信装置に送信する。そして、該送信装置を介して転送先特定データによって表される転送先特定情報を前記送信装置の利用者に通知する。つまり、転送先通知手段は、送信装置から前記データを受信したことを契機に、該送信装置に対して、以前に該送信装置から受信していた前記データの転送先特定データを送信装置に送信する。
【００３１】
これにより、中継装置は、新たに送信装置から前記データが送信されてくるタイミングで、すなわち、送信装置の利用者が送信装置を利用中に、以前に該送信装置から受信した前記データの転送先特定データを送信するため、送信装置の利用者に対して以前に受信した前記データの転送先情報を確実に通知できる。
【００３２】
また、本発明に係る中継装置では、前記送信装置が前記送信装置の利用者に対して転送先特定情報を通知する手法を表す通知手法データを、該送信装置から取得して、前記受信装置に対して転送する通知手法データ送信手段をさらに備え、前記転送先特定データ取得手段は、前記受信装置から、前記通知手法データに応じた前記転送先特定データを該受信装置から取得することを特徴とする。
【００３３】
上記の構成によれば、通知手法データ送信手段は、送信装置が利用者に対して転送先特定情報を通知する手法を表す通知手法データを、送信装置から取得して、受信装置に対して転送する。一方、受信装置では、送信装置の転送先特定情報を通知する手法に応じて複数の転送先特定データを保持しており、中継装置から受信する通知手法データに適した転送先特定データを選択する。例えば、送信装置が転送先特定情報を通知する手法としては、７セグメントディスプレイに表示する手法や高精細のＬＣＤに表示する手法があり、ディスプレイごと表示できる内容が異なるため、受信装置では、通知手法データをもとに、各ディスプレイが表示できる転送先特定情報を表す転送先特定データを選択し、中継装置に対して送信する。なお、通知手法としては、ディスプレイ表示に限らず、転送先特定情報を音声として通知する手法などもあり、特に限定はされない。
【００３４】
また、本発明に係る中継装置では、前記送信装置は、前記送信装置の利用者の健康に関する健康データを測定する健康測定機器であり、前記受信装置は、前記健康データを管理する健康データ管理端末であり、前記転送先特定データ取得手段は、転送先特定データとして、前記健康データ管理端末の利用者を特定する利用者識別情報を表す利用者識別データを取得することを特徴とする。
【００３５】
上記の構成によれば、前記送信装置は、前記送信装置の利用者の健康に関する健康データを測定する健康測定機器である。ここで、利用者の健康に関するデータとは、体温、血圧、体重、体脂肪率など身体の状態を表すデータのほか、歩数計によって計測された歩数など運動した内容を表すデータなどであってもよく、特に限定はされない。また、前記受信装置は、前記健康データを管理する健康データ管理端末である。ここで、健康データ管理端末としては、パーソナルコンピュータや携帯電話など各種の情報処理端末が挙げられる。そして、前記転送先特定データ取得手段は、転送先特定データとして、前記健康データ管理端末の利用者を特定する利用者識別情報を表す利用者識別情報を取得する。ここで、利用者識別情報としては、健康データ管理端末としてのパーソナルコンピュータや携帯電話の利用者の名前以外に、識別用のＩＤなどであってもよく特に限定はされない。また、パーソナルコンピュータや携帯電話が複数の利用者によって利用される場合、健康に関するデータを管理する健康情報管理ソフトウェアにログイン中の利用者を表すデータを転送先特定データとする構成であってもよく、特に限定はされない。
【００３６】
これにより、本発明に係る中継装置を用いて、利用者の健康情報を管理するためのシステムを低コストで構築できる。また、簡素な構成でシステムを構築でき、煩雑な操作も必要ないため、利用者は健康情報を容易に管理できるようになる。
【００３７】
また、本発明に係る中継装置では、前記健康データが前記健康測定機器によって測定された日時、または、前記健康データを受信した日時を記録する日時記録手段と、前記健康データの種類ごとに、あらかじめ定められた測定間隔を記憶している測定間隔記憶手段とをさらに備え、前記健康データの種類ごとに、前記日時記憶手段によって記憶された日時のうち最新の日時から現在までの経過期間と前記測定間隔とを比較し、比較した結果、前記経過期間が前記測定間隔よりも長いと判定された場合、前記健康データの種類を前記健康測定機器の利用者に対して通知する測定促進手段とをさらに備えていることを特徴とする。
【００３８】
上記の構成によれば、日時記録手段は、健康データが健康測定機器によって測定された日時、あるいは、中継装置が健康データを受信した日時を記録する。また、測定間隔記憶手段は、健康データの種類ごとに、あらかじめ定められた測定間隔を記憶している。ここで、あらかじめ定められた測定間隔としては、利用者が健康データを測定するための最適な間隔などがある。そして、測定促進手段が、健康データの種類ごとに、測定間隔記憶手段によって記憶されている測定間隔と、日時記憶手段記憶している日時のうち、最新の日時から現在までの経過期間とを比較し、比較の結果、最後に測定を行ってから現在までの経過期間が前記測定間隔よりも長い場合には、当該健康データの種類を健康測定機器の利用者に対して通知する。つまり、利用者が最後に健康測定を行ったときから、測定するのに最適な期間がすでに経過している場合、利用者に対して健康測定を促す。
【００３９】
これにより、利用者は、健康データの種類に応じて、最適なタイミングで健康測定をすることができる。
【００４０】
本発明に係る送信装置は、送信装置自身を介して前記転送先特定データが表す転送先特定情報を送信装置自身の利用者に通知する前記中継装置に対して前記データを送信する送信装置であって、前記中継装置に対して前記データを送信した回数を記憶する送信回数記憶手段と、前記転送先特定データを取得するたびに、前記回数を一つ減算する送信回数更新手段と、前記回数を前記送信装置の利用者に通知する通知手段とを備えていることを特徴とする。
【００４１】
上記の構成によれば、送信装置は、送信装置自身を介して前記転送先特定データが表す転送先特定情報を送信装置自身の利用者に通知する前記中継装置に対して前記データを送信する。そして、送信装置においては、送信回数記憶手段が、前記中継装置に対して前記データを送信した回数を記憶する。さらに、送信回数更新手段が、前記転送先特定データを取得するたびに、前記回数を一つ減算する。そして、通知手段が、前記回数を送信装置の利用者に通知する。
【００４２】
これにより、送信装置の利用者は、送信装置が中継装置に送信した前記データのうち、送信装置が転送先特定データを受信していない該データの数を知ることができる。つまり、送信装置の利用者は、送信装置が送信した前記データが最終的にどの受信装置によって受信されたのか不明なデータの数を知ることができる。
【００４３】
なお、上記中継装置は、コンピュータによって実現してもよい。この場合、コンピュータを上記各手段として動作させることにより上記中継装置をコンピュータにおいて実現する通信制御プログラム、およびその通信制御プログラムを記録したコンピュータ読み取り可能な記録媒体も、本発明の範疇に入る。
【発明の効果】
【００４４】
本発明に係る中継装置は、送信装置から送信される送信先未定のデータを受信し、受信装置からの要求に応じて該受信装置に対して前記データを転送する中継装置であって、前記受信装置に対して前記データを転送する場合に、該受信装置を特定する転送先特定情報を表す転送先特定データを該受信装置から取得する転送先特定データ取得手段と、前記送信装置の利用者に対して、前記転送先特定データが表す転送先特定情報を通知する転送先特定情報通知手段とを備えているので、送信装置の利用者は、送信先を指定せずに送信したデータが最終的にどの受信装置によって受信されたかを確認することができる。
【００４５】
それゆえ、送信先の指定を前提としていない通信方式であっても、送信側においては、データがどの装置によって受信されたかを確認できるため、通信の確実性を高めることができる。これにより、安価な仕組みの通信方式を利用して、簡素な構成でありながら確実性の高い通信の仕組みを実現できる。
【００４６】
本発明に係る送信装置は、送信装置自身を介して前記転送先特定データが表す転送先特定情報を送信装置自身の利用者に通知する前記中継装置に対して前記データを送信する送信装置であって、前記中継装置に対して前記データを送信した回数を記憶する送信回数記憶手段と、前記転送先特定データを取得するたびに、前記回数を一つ減算する送信回数更新手段と、前記回数を前記送信装置の利用者に通知する通知手段とを備えているので、送信装置の利用者は、送信装置が中継装置に送信した前記データのうち、送信装置が転送先特定データを受信していない該データの数を知ることができる。つまり、送信装置の利用者は、送信装置が送信した前記データが最終的にどの受信装置によって受信されたのか不明なデータの数を知ることができる。
【発明を実施するための最良の形態】
【００４７】
（発明概要）
はじめに、本発明に係る中継装置１の要部構成について説明する。図１は、本発明に係る中継装置１の要部構成を示す図である。図１に示すように、本発明に係る中継装置１は、転送先特定データ取得部２と転送先特定情報通知部３とを備えている。図１に示すとおり、中継装置１は、健康測定機器５（送信装置）と健康情報管理端末４（受信装置）とによって、健康情報管理システムを構成している。中継装置１は、健康測定機器５から送信される測定データを受信し、健康情報管理端末４からの要求に応じて該健康情報管理端末４に対して前記測定データを送信する。ここで、健康測定機器５は、中継装置１に対して測定データを送信するとき、健康情報管理端末４を宛先として指定していない。つまり、前記測定データは、送信先未定のデータである。
【００４８】
中継装置１は、前記健康情報管理端末４に対して前記測定データを送信する場合、転送先特定データ取得部２によって該健康情報管理端末４を特定するデータを転送先特定データとして取得する。その後、転送先特定情報通知部３によって、前記健康測定機器５の利用者に対して、送信先情報（前記転送先特定データが表す転送先特定情報）を通知する。
【００４９】
ここで、健康測定機器５は、利用者の身体の状態に関するデータを測定するための各種の機器（例えば、体重計や体温計など）であり、測定データを中継装置１に対して送信するための機能を有する。また、健康情報管理端末４は、健康測定機器５によって測定されたデータを管理するための端末（例えば、ＰＣや携帯電話など）であり、中継装置１とデータを送受信するための機能を有する。
【００５０】
なお、図１には、本発明に係る中継装置１と健康情報管理端末４と健康測定機器５とによって、利用者の身体に関する測定データを管理するための通信システムが示されているが、本発明は、他のデータを通信するためのシステムに適用されてもよく、特に限定はされない。
【００５１】
以下に、中継装置１が通信を行う場合の動作について、図２を用いてより詳細に説明する。図２は、本発明に係る中継装置１が、健康情報管理端末４および健康測定機器５と通信を行う場合の代表的な通信手順を表すシーケンス図である。
【００５２】
図２に示すとおり、始めに、中継装置１は、健康測定機器５に対して測定データを要求する。健康測定機器５は、中継装置１からの測定データ要求を受け取ると、中継装置１に対して測定データを送信する。なお、図２では、中継装置１から健康測定機器５に対して測定データを要求する構成が示されているが、中継装置１から測定データを要求されることなく健康測定機器５が中継装置１に対して測定データを送信する構成であってもよく、特に限定はされない。また、図２に示す例では、健康測定機器５は、中継装置１からの測定データ要求を受け取ると、暫定転送を行うこと、すなわち、測定データの最終的な送信先が未定の状態で中継装置１に送信することを示す表示を行う。この暫定転送を示す表示は必ずしもなされる必要はなく、特に限定はされない。
【００５３】
次に、健康情報管理端末４が、中継装置１に対して測定データを要求する。中継装置１は、健康情報管理端末４からの測定データ要求を受け取ると、健康測定機器５から受信した測定データを健康情報管理端末４に送信する。これにより、測定データの最終的な送信先が決定されることになる。
【００５４】
このとき、中継装置１は、転送先特定データ取得部２によって、測定データの送信先である健康情報管理端末４に関する情報を送信先情報として取得する。その後、中継装置１は、送信先通知部３によって、取得した送信先情報を健康測定機器５の利用者に対して通知する。図２では、健康情報管理端末４の利用者を識別する情報を送信先情報として健康測定機器５に表示することによって、健康測定機器５の利用者に対して通知する例が示されているが、中継装置１に表示して送信先情報を通知する構成であってもよく、特に限定はされない。
【００５５】
上記の構成によれば、健康測定機器５によって測定されたデータは一旦、中継装置１に転送され、その後、最終的に健康情報管理端末４に送信される。このとき、健康情報管理端末４から中継装置１に対して測定データを要求する。
【００５６】
この測定データの要求は、例えば、健康情報管理端末４がＰＣの場合には、ＰＣ上で起動している測定データ管理用のソフトウェアによって定期的に行われるような構成が考えられる。この場合、あらかじめＰＣ上で前記ソフトウェアを起動しておけば、利用者が健康測定機器５を利用中に、測定されたデータが中継装置１を介して該利用者のＰＣに送信される。そして、中継装置１は、健康測定機器５に対して測定データの送信先情報としてＰＣの利用者を識別する情報を送信し、それを健康測定機器５が表示するなどして、健康測定機器５を利用中の利用者に送信先情報を通知する。なお、１台のＰＣが複数の利用者によって使用される場合もあるが、前記ソフトウェアによって各利用者を識別することは可能である。例えば、前記ソフトウェアにログイン中である利用者を識別する情報を送信先情報とすることによって実現できる。
【００５７】
また、測定データの要求は、例えば、健康情報管理端末４が携帯電話の場合には、利用者が自ら携帯電話を操作して中継装置１からデータを取得する構成が考えられる。この場合、利用者が携帯電話を操作して中継装置１から測定データを取得するのは、健康測定機器５の利用後となる。中継装置１は、携帯電話によって測定データが取得されるときに、携帯電話の利用者を識別する情報を送信先情報として取得する。その後、利用者が再度同一の健康測定機器５を利用する場合に、健康測定機器５は中継装置１から送信先情報を受け取る。そして、健康測定機器５が送信先情報を表示するなどして、健康測定機器５を利用中の利用者に送信先情報を通知する。これにより、利用者は、前回の測定データが自身の携帯電話に送信されたことを確認できる。
【００５８】
従来の健康管理システムでは、健康測定機器５において測定データを利用者ごとに管理したり、測定データを利用者ごとに管理する装置を利用するために利用者の情報と測定データとを関連付けて該装置に送信したりする必要があった。これに対し、本発明によれば、健康測定機器５によって測定されるデータは中継装置１に送信され、中継装置１が健康情報管理端末４からの要求に応じて測定データを転送し、その後利用者に対して測定データの転送先を確認的に通知する構成である。
【００５９】
つまり、本発明によれば、健康測定機器５によって測定されたデータは中継装置１を介して健康情報管理端末４によって利用者ごとに取得される構成である。そのため、測定データを利用者ごとに管理する仕組みを健康測定機器５に実装したり、測定データと利用者の情報とを関連付ける仕組みを用意したりする必要がなくなる。これにより、簡素な構成で健康管理システムを構築できるため、システム導入に要する費用を抑えることができる。
【００６０】
また、本発明によれば、測定データの送信先について利用者は通知を受けるため、利用者は自身の健康情報管理端末４によってデータが取得されたことを確認できる。さらに、仮に他の利用者の端末によって測定データが取得されてしまった場合であっても、利用者はそのことを認識できるため、他の利用者から自身の測定データを取り戻すことができる。これにより、簡素な構成でありながら、測定データ取得の確実性を高めることができる。
【００６１】
以下では、本発明に係る中継装置の具体的な実施の形態について説明する。なお、以下に示す各実施の形態においては、後述するマイコン６を特許請求の範囲における転送先特定データ取得手段、転送先特定情報通知手段、通知手法データ送信手段、送信回数更新手段、通知手段の各手段として、また、後述するメモリ７を転送先記憶手段、日時記憶手段、測定間隔刻手段、送信回数記憶手段の各手段として動作させることによって、本発明に係る中継装置を実現している。
【００６２】
〔実施の形態１〕
本発明の一実施形態について図３乃至図９に基づいて説明すると以下の通りである。実施の形態１では、図１に示す健康情報管理システムの構成において、前記健康測定機器５として体温計１２を、前記健康情報管理端末４としてパーソナルコンピュータ１１を用いた場合のシステム構成について説明する。
【００６３】
図３は、実施の形態１に係る健康情報管理システムの構成である。図３に示す健康管理システムは、中継装置１ａ、パーソナルコンピュータ１１、および体温計１２によって構成される。中継装置１ａは、マイコン（マイクロコンピュータ）６、メモリ７、ＩＦ８（ＩｎｔｅｒＦａｃｅ）、ＲＦＩＤ部９（Ｒａｄｉｏ  Ｆｒｅｑｕｅｎｃｙ  Ｉｄｅｎｔｉｆｉｃａｔｉｏｎ部）、および時計１０を備えている。このＲＦＩＤ部９は、ＲＦＩＤのリードライト機能を備えている。
【００６４】
体温計１２は、ＲＦＩＤタグ１３を内蔵している。体温計１２は、体温を測定すると、測定データをＲＦＩＤタグ１３のメモリに記録する。このＲＦＩＤタグ１３はパッシブＲＦＩＤであり、電池を内蔵せずにＲＦＩＤリードライト機能を備えている機器と近距離の通信を行える。体温計１２は、このＲＦＩＤタグ１３を介して中継装置１ａとデータ通信を行う。また、中継装置１ａは、ＩＦ８を介してパーソナルコンピュータ１１と接続されている。
【００６５】
図４は、本実施の形態に係る中継装置１ａが、パーソナルコンピュータ１１および体温計１２と通信を行う場合の通信手順を示すシーケンス図である。なお、パーソナルコンピュータ１１および中継装置１ａとはともに電源が投入されている。さらに、パーソナルコンピュータ１１では、体温計１２をはじめ各種の健康測定機器によって測定されたデータを管理するためのソフトウェア（以下、健康情報管理ソフトウェアと呼ぶ）が起動されている。図４に示す通信手順の詳細については後述する。
【００６６】
（通信データのフォーマット）
図５は、図４に示す通信手順において使用される通信データ（以後、メッセージと呼ぶ）のフォーマットを示す図であり、（ａ）は機器情報要求メッセージのフォーマットを示す図であり、（ｂ）は機器情報応答メッセージのフォーマットを示す図であり、（ｃ）は測定データ要求メッセージのフォーマットを示す図であり、（ｄ）は測定データメッセージのフォーマットを示す図であり、（ｅ）は転送先通知メッセージのフォーマットを示す図である。各メッセージについて以下で説明する。
【００６７】
機器情報要求メッセージのフォーマットは、図５（ａ）に示すとおり、「機器情報要求メッセージタイプ」の１項目のみからなる。「機器情報要求メッセージタイプ」とは、メッセージの種類が機器情報要求メッセージであることを示す項目である。
【００６８】
機器情報応答メッセージは、図５（ｂ）に示すとおり、「機器情報応答メッセージタイプ」、「ＩＤ」、「測定データタイプ」、「表示能力」の４つの項目からなる。
【００６９】
「機器情報応答メッセージタイプ」は、メッセージの種類が機器情報応答メッセージであることを表す項目である。「ＩＤ」は、各機器を識別するために機器ごとに割り当てられた識別子を表す項目であり、転送先通知メッセージを送信する場合に用いられる。「測定データタイプ」は、機器が測定するデータの種類を表す項目であり、例えば、体温計１２の「測定データタイプ」は体温になる。「表示能力」は、各機器が備えている表示装置の能力（７セグメントディスプレイ表示や高精細ＬＣＤ表示など）を表す項目である。
【００７０】
測定データ要求メッセージは、図５（ｃ）に示すとおり、「測定データ要求メッセージタイプ」、「端末情報」、「利用者識別情報」の３つの項目からなる。「測定データ要求メッセージタイプ」は、メッセージの種類が測定データ要求メッセージであることを示している。「端末情報」は、測定データを要求している端末を示す情報である。「利用者識別情報」は、測定データを要求している端末の利用者を示す情報が格納される。
【００７１】
測定データメッセージは、図５（ｄ）に示すとおり、「測定データメッセージタイプ」、「ＩＤ」、「測定時刻」、「測定データタイプ」、「測定データ」の５つの項目からなる。「測定データメッセージタイプ」は、メッセージの種類が測定データメッセージであることを表す項目である。「測定時刻」は、機器がデータを測定した時刻である。「測定データタイプ」は、機器情報応答メッセージに含まれる「測定データタイプ」と同様、機器が測定するデータの種類を表す項目である。「測定データ」は、機器が実際に測定するデータである。
【００７２】
転送先通知メッセージは、図５（ｅ）に示すとおり、「転送先通知メッセージタイプ」、「シリアル番号」、「データ収集時刻」、「利用者識別情報」の４つの項目からなる。「転送先通知メッセージタイプ」は、メッセージの種類が転送先通知メッセージであることを表す項目である。「シリアル番号」は、中継装置が複数の転送先通知メッセージを送信する場合に、各転送先通知メッセージに付与される連番である。例えば、最初に送信する転送先通知メッセージには、送信する全転送先通知メッセージの数を格納し、以降の転送先通知メッセージでは、通知毎に１づつ減らしていくことによって、転送先通知メッセージを受け取る側の健康測定機器では、あといくつ転送先通知メッセージを受け取るのかわかる。「データ収集時刻」は、中継装置が測定データ要求メッセージを受け取り、その中に含まれる「利用者識別情報」を保存したときの時刻である。転送先通知メッセージを受け取る側の健康測定機器では、「利用者識別情報」とともに「データ収集時刻」を表示することで、健康測定機器のユーザは、いつ中継装置から測定データが持ち出されたかを知ることができる。これにより、例えば普段自分が健康管理端末を使わない時刻に測定データが持ち出された場合、ユーザは異変に気づくことができる。「利用者識別情報」は、測定データの転送先となる機器の利用者を表す情報である。
【００７３】
（通信手順の詳細）
以下では、図４を参照して、実施の形態１に係る健康情報管理システムの通信手順についてより詳細に説明する。
【００７４】
まず、利用者が体温計１２を用いて自身の体温を測定する。体温計１２は７セグメントディスプレイを備えており、体温を測定した直後には、測定結果を表示する。
【００７５】
図６は、図４に示す通信手順における体温計１２の画面表示の変化を示す図であり、（ａ）は体温を測定したときの画面表示を示す図であり、（ｂ）は通信を開始したときの画面表示を示す図であり、（ｃ）は中継装置１ａから測定データ要求メッセージを受信して暫定転送を行うときの画面表示を示す図であり、（ｄ）は測定データの送信先を表すデータを受信したときの画面表示を示す図である。
【００７６】
図６（ａ）に示す例では、測定された体温が３６．５℃であることを示している。体温を測定後、利用者が体温計１２を中継装置１ａに近づけると、中継装置１ａは体温計１２に内蔵されているＲＦＩＤタグ１３を検出する。
【００７７】
図４に示すとおり、中継装置１ａは、体温計１２に内蔵されているＲＦＩＤタグ１３を検出すると、体温計１２に対して機器情報要求メッセージを送信する。
【００７８】
体温計１２は、機器情報要求メッセージを受け取ると、自身の機器情報が要求されていることを認識する。そして、体温計１２は、中継装置１ａに対して機器情報応答メッセージを返信する。体温計１２は、中継装置１ａからの機器情報要求メッセージに対して機器情報応答メッセージを送信すると、通信を開始したことを表す表示を行う。
【００７９】
本実施の形態においては、図６（ｂ）に示すとおり、「−−．−」と表示する。なお、これは限られた表示機能を利用して機器のモードを示すためであり、体温計１２がさらに高機能の表示装置（例えば、文字を表示可能なＬＣＤなど）を搭載していれば、通信中であることを明示的に表示することも可能となる。
【００８０】
中継装置１ａは、体温計１２から機器情報応答メッセージを受信すると、メモリ７に受信時刻と測定データタイプを記録する。この受信時刻は、機器情報応答データを受信したときに時計１０が示している時刻である。また、測定データタイプは、受信した機器情報応答メッセージに含まれている測定データタイプである。
【００８１】
そして、中継装置１ａは体温計１２に対して測定データ要求メッセージを送信する。ここでは、中継装置１ａが体温計１２の測定データを要求しており、測定データ要求メッセージに含まれる「端末情報」には、中継装置１ａを示す情報が格納されている。
【００８２】
体温計１２は測定データ要求メッセージを受信すると、測定データ要求メッセージに含まれている「端末情報」が中継装置１ａを示しているか否かについて判定する。判定の結果、「端末情報」が中継装置１ａを示している場合、体温計１２は、測定データの暫定転送、すなわち、最終的な送信先が決定していない状態で中継装置へ測定データを転送すること示す表示を行う。本実施の形態においては、図６（ｃ）に示すとおり「８８  ８」と７セグメントディスプレイの３桁を全て「８」と表示することによって暫定転送を示している。
【００８３】
そして、体温計１２は測定データメッセージを中継装置１ａに対して送信する。上述のとおり、測定データメッセージには、「測定データ」以外に「測定時刻」なども含まれる。
【００８４】
中継装置１ａは、測定データメッセージを受信すると、機器情報応答メッセージを受信したときにメモリ７に記録した「測定データタイプ」、「表示能力」とともに、測定データに含まれている「測定時刻」と「測定データ」もメモリ７に記録する。なお、時計機能を有しない健康測定機器の場合には、測定データに「測定時刻」は設定されていないため、中継装置１ａが測定データを受信した時刻を「測定時刻」としてメモリ７に記録する。
【００８５】
これにより、本実施の形態に係る体温計１２のような時計機能を持たない健康測定機器についても、測定データを実際に測定した時刻に近い時刻を「測定時刻」として記録することが可能となる。そして、上記のように中継装置１ａにおいて全ての測定データについて「測定時刻」を記録する構成とすることで、測定データの時系列情報を用いた健康情報管理が可能となる。
【００８６】
次に、パーソナルコンピュータ１１が中継装置１ａに対して機器情報要求メッセージを送信する。なお、パーソナルコンピュータ１１では、上述したとおり健康情報管理ソフトウェアが起動されており、健康情報管理ソフトウェアによって定期的に中継装置１ａに対して機器情報要求メッセージが送信されている。
【００８７】
中継装置１ａは、パーソナルコンピュータ１１からの機器情報要求メッセージを受け取ると、パーソナルコンピュータ１１に対して機器情報応答メッセージを送信する。このとき、中継装置１ａは、体温計１２から機器情報応答メッセージを受信したときにメモリ７に記録した「測定データタイプ」と「表示能力」とを機器情報応答メッセージに含めて送信する。
【００８８】
パーソナルコンピュータ１１は、機器情報応答メッセージを受け取ると、中継装置１ａに対して測定データ要求メッセージを送信する。このとき、パーソナルコンピュータ１１は測定データ要求メッセージに「利用者識別情報」を含めて送信する。「利用者識別情報」は最終的に体温計１２によって表示される。
【００８９】
ところで、各健康測定機器の表示能力は健康測定機器ごとに異なっており、健康測定機器の表示能力は、機器情報応答メッセージに含まれている。また、パーソナルコンピュータ１１は、健康測定機器の表示能力に応じて異なる複数の「利用者識別情報」を記憶しており、測定データ要求メッセージを送信するとき、中継装置１ａから受信した機器情報応答メッセージに含まれている「表示能力」に対応する「利用者識別情報」を選択する。
【００９０】
より具体的に説明すれば、本実施の形態においては、体温計１２は、７セグメントディスプレイ（３桁表示）を備えている。パーソナルコンピュータ１１は、３桁表示の７セグメントディスプレイで表示可能な「利用者識別情報」として、利用者ＩＤ番号「３」を選択する。
【００９１】
中継装置１ａは、パーソナルコンピュータ１１から測定データ要求メッセージを受け取ると、パーソナルコンピュータ１１に対して測定データメッセージを送信する。パーソナルコンピュータ１１は、測定データメッセージを受信すると、「測定データ」を取り出す。そして、「測定データ」は、パーソナルコンピュータ１１上で起動している健康情報管理ソフトウェアによって管理される。
【００９２】
また、中継装置１ａは、パーソナルコンピュータ１１から受信した測定データ要求メッセージに含まれている「利用者識別情報」を、転送先通知メッセージに含めて体温計１２に送信する。
【００９３】
体温計１２は、転送先通知メッセージを受信すると、受信した転送先通知メッセージに含まれている「利用者識別情報」を表示する。本実施の形態においては、図６（ｄ）に示すとおり、体温計１２は、利用者識別情報として前述した「３」という利用者ＩＤ番号を表示する。
【００９４】
これにより、体温計１２の利用者は、パーソナルコンピュータ１１によって測定データが受信されたことを確認できる。より詳細に説明すれば、利用者識別情報はパーソナルコンピュータ１１上で起動している健康情報管理ソフトウェアにログイン中の利用者を表している。また、パーソナルコンピュータ１１によって受信された測定データは、健康管理ソフトウェアにログイン中の利用者のデータとして管理される。すなわち、体温計１２の利用者は、パーソナルコンピュータ１１によって測定データが受信され、自身のデータとして管理されていることを確認できる。
【００９５】
以上の構成によれば、体温計１２が利用者ごとの測定データを管理する機能を実装することなく、測定データを容易に管理する仕組みを低コストで実現することが可能となる。
【００９６】
〔実施の形態２〕
本発明の他の実施形態について図１０〜図１３に基づいて説明すれば以下の通りである。実施の形態２では、図１に示す健康情報管理システムの構成において、前記健康測定機器５として歩数計１６を、前記健康情報管理端末４として携帯電話１４を用いた場合のシステム構成について説明する。
【００９７】
図１０は、実施の形態２に係る健康情報管理システムの構成である。図１０に示す健康管理システムは、中継装置１ｂ、携帯端末１４、および歩数計１６によって構成される。中継装置１ｂは、マイコン６、メモリ７、ＲＦＩＤ部９、および時計１０を備えている。
【００９８】
歩数計１６は、ＲＦＩＤタグ１７を内蔵している。また、携帯電話１４は、ＲＦＩＤタグを内蔵している。つまり、本実施の形態においては、中継装置１ｂは、ＲＦＩＤによって健康測定機器である歩数計１６および健康情報管理端末である携帯電話１４の両方と通信を行う。したがって、中継装置１ｂは、機器の種類（健康測定機器または健康情報管理端末）を判別し、機器に応じて処理を切り替える必要がある。
【００９９】
図１１は、中継装置１ｂが機器に応じて通信手順を切り替える処理の流れを表すフローチャートである。始めに、ステップＳ１１１において、中継装置１ｂは、機器が近づいたか否かを判定する。ここで、中継装置１ｂは、機器が近づいたか否かについての判定を、ＲＦＩＤタグの検出によって行う。すなわち、ＲＦＩＤタグが検出されれば機器が近くにあると判定し、ＲＦＩＤタグが検出されなければ機器は近くにないと判定する。
【０１００】
ステップＳ１１１における判定の結果、機器が近くにない場合、中継装置１ｂは、再度、機器が近づいたか否かの判定を行う。ステップＳ１１１における判定の結果、機器が近くにある場合には、中継装置１ｂは、ステップＳ１１２において、機器が測定機器であるか否かを判定する。
【０１０１】
ステップＳ１１２における判定の結果、機器が測定機器である場合には、中継装置１ｂは、ステップＳ１１３において測定機器用の処理を行う。ステップＳ１１２における判定の結果、機器が測定機器でない場合には、中継装置１ｂは、ステップＳ１１４において健康情報管理端末用の処理を行う。
【０１０２】
図１２は、本実施の形態に係る中継装置１ｂが、携帯電話１４および歩数計１６と通信を行う場合の通信手順を示すシーケンス図である。なお、中継装置１ｂは常に電源が投入されている。また、図１２には、歩数計１６および携帯電話１４がそれぞれ別々のタイミングで中継装置１ｂと通信する例が示されている。図１２に示す通信手順において用いられる各通信データ（メッセージ）は、図５に示すメッセージと同じであり説明は省略する。図１２に示す通信手順の詳細については後述する。
【０１０３】
（通信手順の詳細）
以下では、図１２を参照して、実施の形態２に係る健康情報管理システムの通信手順についてより詳細に説明する。上述したとおり、図１２では、歩数計１６と中継装置１ｂとが通信を行う処理と、歩数計１６と携帯電話１４とが通信を行う処理とは、別々のタイミングで行われる。
【０１０４】
始めに、歩数計１６と中継装置１ｂとの通信処理について説明する。まず、利用者は歩数計１６を用いて歩数を測定する。歩数計１６は、７桁表示の７セグメントディスプレイを備えており、１時間ごとの歩数を記録しながら、累積歩数と時刻を表示する。
【０１０５】
図１３は、図１２に示す通信手順における歩数計１６の画面表示の変化を示す図であり、（ａ）は歩数を計測したときの画面表示を示す図であり、（ｂ）は通信を開始したときの画面表示を示す図であり、（ｃ）は中継装置１ｂから測定データ要求メッセージを受信して暫定転送を行うときの画面表示を示す図であり、（ｄ）は暫定転送の回数を表示する場合の画面表示を示す図であり、（ｅ）は暫定転送を行った後、通常の表示状態に戻ったときの画面表示を示す図であり、（ｆ）は利用者識別情報を表示するときの画面表示を示す図である。図１３（ａ）に示す例では、利用者の累積歩数が９８７６歩であり、時刻がＰＭ１１：００であることを示している。歩数を測定後、歩数計１６を中継装置１ｂに近づけると、中継装置１ｂは歩数計１６に内蔵されているＲＦＩＤタグ１７を検出する。
【０１０６】
図１２に示すとおり、中継装置１ｂは、歩数計１６に内蔵されているＲＦＩＤタグ１７を検出すると、歩数計１６に対して機器情報要求メッセージを送信する。
【０１０７】
歩数計１６は、機器情報要求メッセージを受け取ると、自身の機器情報が要求されていることを認識する。そして、歩数計１６は、中継装置１ｂに対して機器情報応答メッセージを返信する。歩数計１６は、中継装置１ｂからの機器情報要求メッセージに対して機器情報応答メッセージを送信すると、通信を開始したことを表す表示を行う。
【０１０８】
本実施の形態においては、図１３（ｂ）に示すとおり、時刻表示を「−−．−−」とする。なお、歩数計１６がさらに高機能の表示装置を備えていれば、通信中であることを明示的に表示することも可能となる。
【０１０９】
中継装置１ｂは、歩数計１６から機器情報応答メッセージを受信すると、メモリ７に「ＩＤ」、「測定データタイプ」、「表示能力」、および受信時刻を記録する。この受信時刻は、機器情報応答データを受信したときに時計１０が示している時刻である。また、測定データタイプは、受信した機器情報応答メッセージに含まれている測定データタイプである。
【０１１０】
そして、中継装置１ｂは歩数計１６に対して測定データ要求メッセージを送信する。ここでは、中継装置１ｂが歩数計１６の測定データを要求しており。測定データ要求メッセージに含まれる「端末情報」には、中継装置１ｂを示す情報が格納されている。
【０１１１】
歩数計１６は測定データ要求メッセージを受信すると、測定データ要求メッセージに含まれている「端末情報」が中継装置１ｂを示しているか否かについて判定する。判定の結果、「端末情報」が中継装置１ｂを示している場合、歩数計１６は、測定データの暫定転送、すなわち、最終的な送信先が決定していない状態で中継装置へ測定データを転送すること示す表示を行う。本実施の形態においては、図１３（ｃ）に示すとおり「８８８８８８８」と７セグメントディスプレイの７桁全てを表示することによって暫定転送を示している。
【０１１２】
そして、歩数計１６は測定データメッセージを中継装置１ｂに対して送信する。なお、歩数計１６は、暫定転送の回数をカウントする暫定転送カウンタを備えている。そして、歩数計１６は、測定データの暫定転送を行うと、暫定転送カウンタの値を１増加し、図１３（ｄ）に示すように、時刻の分を表示する部分に、暫定転送カウンタによってカウントされた回数を表示する。この暫定転送回数については、詳細を後述する。
【０１１３】
中継装置１ｂに対して測定データの暫定転送を行った後、利用者が歩数を測定するために再び装着するなどして中継装置１ｂから離れた場所にある場合には、歩数計１６は図１３（ｅ）に示すように、通常の表示状態に戻る。
【０１１４】
中継装置１ｂは、測定データメッセージを受信すると、機器情報応答メッセージを受信したときにメモリ７に記録した「ＩＤ」、「測定データタイプ」、「表示能力」とともに、測定データに含まれている「測定時刻」と「測定データ」もメモリ７に記録する。なお、時計機能を有しない健康測定機器の場合には、測定データに「測定時刻」は設定されていないため、中継装置１ｂが測定データを受信した時刻を「測定時刻」としてメモリ７に記録する。
【０１１５】
以上の歩数計１６と中継装置１ｂとの通信処理は複数回繰り返されてもよい。また、歩数計１６との上記通信処理に続けて、ＲＦＩＤタグを内蔵した歩数計１６以外の健康測定機器と同様の通信処理が行われてもよい。このとき、中継装置１ｂは、新たな測定データメッセージを受信すると、既に取得した「測定データ」を上書きするのではなく、追加するようにしてメモリ７に記録していく。以上は歩数計１６と中継装置１ｂとの通信処理の説明である。
【０１１６】
次に、別のタイミングにおける携帯電話１４と中継装置１ｂとの通信処理について説明する。この処理は、利用者が携帯電話１４によって中継装置１ｂに記録されている測定データを取得するときの処理である。
【０１１７】
まず、利用者が携帯電話１４を中継装置１ｂに近づける。すると、中継装置１ｂは携帯電話１４に内蔵されているＲＦＩＤタグ１５を検出する。中継装置１ｂは、ＲＦＩＤタグ１５を検出すると携帯電話１４に対して、機器情報要求メッセージを送信する。
【０１１８】
携帯電話１４は、機器情報要求メッセージを受信すると、自身の機器情報が要求されていることを認識し、中継装置１ｂに対して機器情報応答メッセージを返信する。このとき、携帯電話１４は、機器情報応答メッセージの「測定データタイプ」に健康情報管理端末であることを表すデータを格納して送信する。
【０１１９】
中継装置１ｂは、携帯電話１４から送信された機器情報要求メッセージを受信すると、機器情報応答メッセージに含まれている「測定データタイプ」が健康情報管理端末を表しているか否かを判定する。判定の結果、「測定データタイプ」が健康情報管理端末を表している場合には、中継装置１ｂは、携帯１４に対して機器情報応答メッセージを送信する。このとき中継装置１ｂは、歩数計１６から機器情報応答メッセージを受信したときにメモリ７に記録した「測定データタイプ」と「表示能力」とを機器情報応答メッセージに含めて送信する。
【０１２０】
携帯電話１４は、機器情報応答メッセージを受け取ると、中継装置１ｂに対して測定データ要求メッセージを送信する。このとき、携帯電話１４は測定データ要求メッセージに「利用者識別情報」を含めて送信する。この「利用者識別情報」は、携帯電話１４の利用者を表す情報であり、最終的に歩数計１６によって表示される。
【０１２１】
実施の形態１においても説明したとおり、各健康測定機器の表示能力は健康測定機器ごとに異なっており、健康測定機器の表示能力は、機器情報応答メッセージに含まれている。また、携帯電話１４は、健康測定機器の表示能力に応じて異なる複数の「利用者識別情報」を記憶しており、測定データ要求メッセージを送信するとき、中継装置１ｂから受信した機器情報応答メッセージに含まれている「表示能力」に対応する「利用者識別情報」を選択する。
【０１２２】
より具体的に説明すれば、本実施の形態においては、歩数計１６は、７セグメントディスプレイ（７桁表示）を備えており、携帯電話１４は、７セグメントディスプレイの７桁で表示可能な「利用者識別情報」として、利用者ＩＤ番号「４ＵＪＩ」を選択する。なお、「４ＵＪＩ」とは、７セグメントディスプレイによって「ＹＵＪＩ」という文字列を表現したものである。
【０１２３】
中継器１ｂは、携帯電話１４から測定データ要求メッセージを受信すると、測定データ要求メッセージに含まれている「利用者識別情報」を、歩数計１６から測定データメッセージを取得したときにメモリ７に記録した「測定データ」に対応づけて、メモリ７に記録する。そして、中継装置１ｂは、「測定データ」を測定データメッセージに含めて携帯電話１４に送信する。
【０１２４】
携帯電話１４は、測定データメッセージを受信すると、「測定データ」取り出して、図示しないメモリに記録する。携帯電話１４では、予めインストールされている健康情報管理ソフトウェアによって「測定データ」が管理されており、利用者は通信終了後も「測定データ」を利用できる。以上は携帯電話１４と中継装置１ｂとの通信処理の説明である。
【０１２５】
次に、携帯電話１４が中継装置１ｂに記録されている「測定データ」を取得した後に、さらに、別のタイミングにおける携帯電話１４と中継装置１ｂとの通信処理について説明する。
【０１２６】
まず、利用者は、歩数計１６によって新たに歩数を計測する。その後、利用者が中継装置１ｂに歩数計１６を近づけると、中継装置１ｂは、歩数計１６のＲＦＩＤタグ１７を検出し、歩数計１６に対して機器情報要求メッセージを送信する。歩数計１６は機器情報要求データを受信すると、中継装置１ｂに対して機器情報応答メッセージを送信する。
【０１２７】
中継装置１ｂは、機器情報応答メッセージを受信すると、機器情報応答メッセージに含まれる「ＩＤ」を用いて機器情報応答メッセージの送信元が歩数計１６であることを特定する。そして、以前に歩数計１６から暫定転送を受けた測定データについての転送先の情報、すなわち、利用者識別情報を転送先通知メッセージに含めて歩数計１６に送信する。このとき、中継装置１ｂは、メモリ７に記録されている「測定データ」に対応づけられた「ＩＤ」と歩数計１６からの機器情報応答メッセージに含まれる「ＩＤ」とを比較して、以前に歩数計１６から暫定転送を受けた「測定データ」であるか否かを判断する。つまり「ＩＤ」が一致する場合、当該「測定データ」に対応付けられた「利用者識別情報」を転送先通知メッセージに含めて歩数計１６に送信する。暫定転送を受けた「測定データ」が複数ある場合には、転送先通知メッセージも複数送信する。歩数計１６では、転送先通知メッセージを受信すると、その中に含まれている「利用者識別情報」を順次表示する。
【０１２８】
歩数計１６は、中継装置１ｂから転送先通知メッセージを受信すると、歩数計１６の歩数を表示する部分に「利用者識別情報」を表示する。これにより、表示される「利用者識別情報」が自分を表している場合、利用者は、自身の携帯電話１４によって、「測定データ」を取得したことを確認できる。一方、表示される「利用者識別情報」が自分以外を示す場合、他の利用者によって測定データが取得されたことを確認できる。
【０１２９】
また、歩数計１６は、中継装置１ｂから転送先通知メッセージを受信すると、暫定転送カウンタの値を１減らし、図１３（ｆ）に示すように、時刻の分を表示する部分に、１減らした後の暫定転送カウンタの値が示す回数を表示する。
【０１３０】
携帯電話１４によって中継装置１ｂから自身の測定データを読み込んだにもかかわらず、暫定転送カウンタが「０」でない場合、測定データが中継装置１ｂに残っていないか、別の中継装置１ｂによって「測定データ」が読み取られた可能性を示している。
【０１３１】
中継装置１ｂは、歩数計１６に対して転送先通知メッセージを送信した後、さらに測定データ要求メッセージを送信し、歩数計１６から新たな測定データを取得するための通信処理を行う。
【０１３２】
なお、実施の形態１において説明したとおり、中継装置１ｂについても、「測定データ」ごとに「測定時刻」を記録する構成とすれば、時系列情報を用いて健康情報管理をすることが可能となる。さらに、中継装置１ｂについても、測定間隔テーブル（図７、図９参照）や測定を促すメッセージ表示（図８参照）などを用いれば、よりきめ細かく健康情報管理を行うことができる。
【０１３３】
（時系列情報による健康情報管理）
中継装置１ｂは、実施の形態１において説明した中継装置１ａと同様、受信した全ての測定データについて測定時刻を記録している。そのため、測定データの時系列情報を用いて健康情報管理をすることが可能となる。さらに、中継装置１ｂにおいて、データタイプごとに望ましい測定間隔を記録する測定間隔テーブルを保持しておけば、時系列情報を用いて、より詳細に健康情報管理を行うことができる。
【０１３４】
図７は、測定間隔テーブルの一例を示す図である。図７に示す測定間隔テーブルでは、データタイプと各データタイプにおいて望ましい測定間隔の最長値とが対応づけられている。図７に示す測定間隔テーブルを用いた健康情報管理としては、例えば、マイコン６を用いて、上述した測定データの「測定時刻」と「データタイプ」の履歴を定期的にチェックし、データタイプごとに最後に測定されたときから現在までの期間を算出して、測定間隔テーブルに記録されている望ましい測定間隔と比較することによって、最後に測定されたときから現在までの期間が望ましい測定間隔を超えているデータタイプについて、利用者に測定を促すことができる。
【０１３５】
図８は、利用者に健康測定を促すメッセージを携帯電話１４に表示する例を示す図である。図８に示すメッセージによって利用者に測定を促す構成について、より具体的に説明すれば次のとおりである。
【０１３６】
中継装置１ｂは、最後に測定されたときから現在までの期間が望ましい測定間隔を超えているデータタイプが存在する場合、ブザー４０を鳴らして利用者に通知する。ここで、利用者が携帯電話１４を中継装置１ｂに近づけると、中継装置１ｂは携帯電話１４を検知し、ブザー４０を停止する。そして、携帯電話１４に対して、望ましい測定間隔を超えているデータタイプやその期間などのデータを送信する。それらのデータを受け取ると、携帯電話１４では、健康管理ソフトウェアによって図８に示すメッセージが表示される。
【０１３７】
また、図７に示す測定間隔テーブル以外に、図９に示すような測定間隔テーブルも考えられる。図９は、年齢ごとの望ましい測定間隔を記録している測定間隔テーブルを示す図である。健康測定機器によってデータを測定するときに利用者の年齢を取得し、測定データと利用者の年齢とを中継装置１ｂに送信する構成とすれば、図９に示す測定間隔テーブルを利用して、利用者の年齢に応じて健康測定を促すことができるため、よりきめ細かく健康情報を管理するための仕組みを実現できる。
【０１３８】
〔実施の形態３〕
本発明の他の実施形態について、図１４乃至図１５に基づいて説明すると以下の通りである。実施の形態３では、図１に示す健康情報管理システムの構成において、前記健康測定機器５として血圧計１８を、前記健康情報管理端末４として携帯電話２０を用いた場合のシステム構成について説明する。
【０１３９】
図１４は、実施の形態３に係る健康情報管理システムの構成である。図１４に示す健康管理システムは、中継装置１ｃ、血圧計１８、および携帯電話２０によって構成される。中継装置１ｃは、赤外線受信部２２、表示部２３、およびＢｌｕｅｔｏｏｔｈ  ＩＦ（Ｉｎｔｅｒ  Ｆａｃｅ）２４を備えている。なお、中継装置１ｃは、図示しないマイコンおよびメモリも備えている。血圧計１８は、赤外線送受信部１９を備えている。血圧計１８は、赤外線通信によって中継装置１ｃとデータ通信を行う。携帯電話２０は、Ｂｌｕｅｔｏｏｔｈ  ＩＦ（Ｉｎｔｅｒ  Ｆａｃｅ）２１を備えている。携帯電話２０は、Ｂｌｕｅｔｏｏｔｈインターフェースを介して中継装置１ｃとデータ通信を行う。
【０１４０】
図１５は、本実施の形態に係る中継装置１ｃが、携帯電話２０および血圧計１８と通信を行う場合の通信手順を示すシーケンス図である。なお、中継装置１ｃは、常に電源が投入されている。図１５に示す例では、血圧計１８と携帯電話２０が、別々のタイミングで中継装置１ｃと通信する。図１５に示す通信手順について、以下に説明する。
【０１４１】
まず、利用者は、血圧計１８を用いて血圧を測定する。利用者は、血圧を測定した後、血圧計１８の測定データ送信ボタン（図示せず）を押下する。測定データ送信ボタンが押下されると、血圧計１８は、利用者の血圧を表す「測定データ」を測定データメッセージに含めて中継装置１ｃに対して送信する。
【０１４２】
中継装置１ｃは、測定データメッセージを受信すると、「測定データタイプ」と「測定データ」をメモリに記録する。本実施の形態においては、血圧計１８は情報を表示する機能を備えていないため、中継装置１ｃは、「表示能力」について情報を取得していない。一方、中継装置１ｃは表示部２３を備えており、ここでは、中継装置１ｃ自身の「表示能力」を、血圧計１８から受信した「測定データ」に対応付けて記録しておく。
【０１４３】
次に、中継装置１ｃと血圧計１８との上述の通信処理とは別のタイミングにおいて、利用者が携帯電話２０のＢｌｕｅｔｏｏｔｈ  ＩＦ２１の機能を有効にし、健康管理ソフトウェアを起動すると、携帯電話２０と中継装置１ｃとが通信処理を開始する。携帯電話２０と中継装置１ｃとの通信処理の手順は、図１２に示す携帯電話１４と中継装置１ｂとの通信処理の手順と同じであり、説明は省略する。
【０１４４】
ただし、本実施の形態では、中継装置１ｃからの機器情報応答メッセージには、中継装置１ｃの「表示能力」が格納されており、携帯電話２０は、中継装置１ｃの「表示能力」に応じた「利用者識別情報」を選択して、測定データ要求メッセージに含めて中継装置１ｃに送信する。例えば、中継装置１ｃが高精細のディスプレイを備えている場合には、携帯電話２０は、「利用者識別情報」として漢字の「市川」を表すデータを送信する。そして、本実施の形態においては、中継装置１ｃが「利用者識別情報」として「市川」と表示する。つまり、中継装置１ｃが利用者に対して「利用者識別情報」を通知する構成である。これに対し、図１２に示す通信処理においては、携帯電話１４は、中継装置１ｂからの機器情報応答メッセージに含まれる歩数計１６の「表示能力」に応じた「利用者識別情報」を選択し、測定データ要求メッセージに含めて中継装置１ｂに送信する。そして、「利用者識別情報」を表示するのは、健康測定機器の歩数計１６である。
【０１４５】
利用者が血圧計１８を用いて新たに血圧を測定し中継装置１ｃに送信すると、中継装置１ｃは、受信した測定データをメモリに記録し、以前の測定データの「利用者識別情報」を表示する。
【０１４６】
なお、実施の形態１〜３において、通信手段としてＲＦＩＤタグ、赤外線通信、Ｂｌｕｅｔｏｏｔｈ、有線などを用いた通信システムの構成例が示されているが、通信システムの構成は、実施の形態１〜３に示した構成に限らず、上記の通信手段の任意の組合せによって得られる構成であってもよく、特に限定はされない。
【０１４７】
〔実施の形態４〕
本発明の他の実施形態について図１６に基づいて説明すれば以下の通りである。実施の形態４では、図１に示す健康情報管理システムの構成において、前記健康測定機器５として体温計２５および体重計２６を用いた場合のシステム構成について説明する。また、本実施の形態では、健康情報管理端末４として自身のパーソナルコンピュータや携帯電話が用いられるのではなく、保険会社３３や医療機関３４の情報処理端末よって測定データが収集される構成となっている。
【０１４８】
図１６は、実施の形態４に係る健康情報管理システムの構成である。図１６に示す健康管理システムは、体温計２５、体重計２６、中継装置１ｄ、ブロードバンドルータ３２、保険会社３３、医療機関３４、およびインターネットによって構成される。体温計２５は無線部２７を備えている。体重計２６は無線部２８を備えている。また、中継装置１ｄは、無線部２９、表示部３０、およびＩＦ（インターフェース）３１を備えている。
【０１４９】
体温計２５と中継装置１ｄとは、無線部２７および無線部２９を介して通信を行う。体重計２６と中継装置１ｄとは、無線部２８および無線部２９を介して通信を行う。また、中継装置１ｄは、ブロードバンドルータ３２を介してインターネットに接続されている。また、保険会社３３および医療機関３４は、内部に設置されている情報処理端末（図示せず）がインターネットに接続されている。つまり、中継装置１ｄは、インターネットを利用して、保険会社３３および医療機関３４の内部に設置されている情報処理端末と通信できる。
【０１５０】
図１６に示す例では、中継装置１ｂは個人使用されることを前提としている。医療機関３４は、利用者のホームドクターであり、利用者の測定データを入手することによって、顧客の日々の健康情報を管理することができる。また、保険会社３３は、利用者の測定データを取得して、顧客の健康状態を把握しておくことにより、掛け金の査定などを適切に行うことができる。
【０１５１】
この場合、送信先情報として、保険会社３３および医療機関３４を示すサービスプロバイダ情報が用いられる。つまり、利用者は、中継装置１ｄによって、どのサービスプロバイダが自身の測定データを入手したかを知ることができる。これにより、利用者は、自身の測定データが保険会社３３によって取得されたのか、あるいは、医療機関３４によって取得されたのかを知る。
【０１５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５３】
最後に、中継装置１の各ブロック、特に転送先特定データ取得部２および転送先特定情報通知部３は、ハードウェアロジックによって構成してもよいし、次のようにＣＰＵを用いてソフトウェアによって実現してもよい。
【０１５４】
すなわち、中継装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである中継装置１の制御プログラムのプログラムコード（実行形式プログラム、中間コードプログラム、ソースプログラム）をコンピュータで読み取り可能に記録した記録媒体を、上記中継装置１に供給し、そのコンピュータ（またはＣＰＵやＭＰＵ）が記録媒体に記録されているプログラムコードを読み出し実行することによっても、達成可能である。
【０１５５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５６】
また、中継装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５７】
本発明は、送信装置から送信されたデータを受信装置に中継する通信装置に適用できる。特に、健康測定機器などによって測定された測定データを、該測定データを管理するためのデータ管理端末に中継する通信装置に対して、好適に利用できる。
【図面の簡単な説明】
【０１５８】
【図１】本発明に係る中継装置の要部構成を示す図である。
【図２】本発明に係る中継装置が、健康情報管理端末および健康測定機器と通信を行う場合の代表的な通信手順を表すシーケンス図である。
【図３】実施の形態１に係る健康情報管理システムの構成である
【図４】実施の形態１に係る中継装置が、パーソナルコンピュータおよび体温計と通信を行う場合の通信手順を示すシーケンス図である。
【図５】図４に示す通信手順において使用される通信データのフォーマットを示す図であり、（ａ）は機器情報要求メッセージのフォーマットを示す図であり、（ｂ）は機器情報応答メッセージのフォーマットを示す図であり、（ｃ）は測定データ要求メッセージのフォーマットを示す図であり、（ｄ）は測定データメッセージのフォーマットを示す図であり、（ｅ）は転送先通知メッセージのフォーマットを示す図である。
【図６】図４に示す通信手順における体温計の画面表示の変化を示す図であり、（ａ）は体温を測定したときの画面表示を示す図であり、（ｂ）は通信を開始したときの画面表示を示す図であり、（ｃ）は中継装置１ａから測定データ要求メッセージを受信して暫定転送を行うときの画面表示を示す図であり、（ｄ）は測定データメッセージの送信先を表すデータを受信したときの画面表示を示す図である。
【図７】測定間隔テーブルを示す図である。
【図８】利用者に健康測定を促すメッセージ表示の例を示す図である。
【図９】年齢ごとの望ましい測定間隔を記録している測定間隔テーブルを示す図である。
【図１０】実施の形態２に係る健康情報管理システムの構成である。
【図１１】実施の形態２に係る中継装置が機器に応じて通信手順を切り替える処理を表すフローチャートである。
【図１２】本実施の形態に係る中継装置が、携帯電話および歩数計と通信を行う場合の通信手順を示すシーケンス図である。
【図１３】図１２に示す通信手順における歩数計の画面表示の変化を示す図であり、（ａ）は歩数を計測したときの画面表示を示す図であり、（ｂ）は通信を開始したときの画面表示を示す図であり、（ｃ）は中継装置１ｂから測定データ要求メッセージを受信して暫定転送を行うときの画面表示を示す図であり、（ｄ）は暫定転送の回数を表示する場合の画面表示を示す図であり、（ｅ）は暫定転送を行った後、通常の表示状態に戻ったときの画面表示を示す図であり、（ｆ）は利用者識別情報を表示するときの画面表示を示す図である。
【図１４】実施の形態３に係る健康情報管理システムの構成である。
【図１５】実施の形態３に係る中継装置が、携帯電話および血圧計と通信を行う場合の通信手順を示すシーケンス図である。
【図１６】実施の形態４に係る健康情報管理システムの構成である。
【符号の説明】
【０１５９】
１    中継装置
１ａ  中継装置
１ｂ  中継装置
１ｃ  中継装置
１ｄ  中継装置
２    転送先特定データ取得部
３    転送先特定情報通知部
４    健康情報管理端末（受信装置）
５    健康測定機器（送信装置）
６    マイコン（転送先特定データ取得手段、転送先特定情報通知手段、通知手法データ送信手段、送信回数更新手段、通知手段）
７    メモリ（転送先記憶手段、日時記憶手段、測定間隔刻手段、送信回数記憶手段）
１０  時計
１１  パーソナルコンピュータ（受信装置、健康情報管理端末）
１２  体温計（送信装置、健康測定機器）
１４  携帯電話（受信装置、健康情報管理端末）
１６  歩数計（送信装置、健康測定機器）
１８  血圧計（送信装置、健康測定機器）
２０  携帯電話（受信装置、健康情報管理端末）
２３  表示部（ディスプレイ）
２５  体温計（送信装置、健康測定機器）
２６  体重計（送信装置、健康測定機器）
３０  表示部（ディスプレイ）
３３  保険会社
３４  医療機関
【図１】
2008079046.tif 000003
【図２】
2008079046.tif 000004
【図３】
2008079046.tif 000005
【図４】
2008079046.tif 000006
【図５】
2008079046.tif 000007
【図６】
2008079046.tif 000008
【図７】
2008079046.tif 000009
【図８】
2008079046.tif 000010
【図９】
2008079046.tif 000011
【図１０】
2008079046.tif 000012
【図１１】
2008079046.tif 000013
【図１２】
2008079046.tif 000014
【図１３】
2008079046.tif 000015
【図１４】
2008079046.tif 000016
【図１５】
2008079046.tif 000017
【図１６】
2008079046.tif 000018